(57)【特許請求の範囲】
【請求項１】
プリコーディング行列インデックス(PMI)を送信するための方法であって、
ユーザ機器(UE)によってセットアップされた第2のコードブックセットから第1のプリコーディング行列を選択するステップであって、前記第2のコードブックセットはPMIを搬送する伝送チャネルの能力に従って、前記UEにローカルに格納された第1のコードブックセットの全部または一部としてセットアップされるステップと、
前記伝送チャネルを通じて基地局(BS)に、前記第1のプリコーディング行列に対応するインデックス項目を前記UEによって送信し、これにより前記BSが前記インデックス項目に従って前記第1のプリコーディング行列を検索し、前記第1のプリコーディング行列に従ってデータにプリコーディングを行うことができるようにするステップと
を含み、
ローカルに格納された前記第1のコードブックセットの中の各プリコーディング行列が、W=W1W2として表され、
ここで、
【数１】
0005601602.tif 000010
W1は、Nt×2R行列、
W2は、2R×R行列
Iは、R×R恒等行列
Xは、R×R対角行列
Dは、Nt/2×Nt/2対角行列
Aは、Nt/2×R行列
Λは、R×R対角行列、
ここで、Ntは偶数であって、前記BSの送信アンテナ数を表し、Rは前記プリコーディング行列の階数を表す、方法。
【請求項２】
前記第2のコードブックセットが前記第1のコードブックセットの一部であるとき、前記第2のコードブックセットが、信号空間を均一に分割する基準を満たす、請求項1に記載の方法。
【請求項３】
前記階数が1であるとき、前記第2のコードブックセットが前記第1のコードブックセットの一部であり、DおよびXが恒等行列であり、Λは1または-1の値の範囲を有する1ビットで表される、請求項1または2に記載の方法。
【請求項４】
前記階数が1であるとき、前記第2のコードブックセットが前記第1のコードブックセットの一部であり、DおよびXが恒等行列であり、8つの一定の方向が3ビットを有するAによって表される、請求項1または2に記載の方法。
【請求項５】
伝送チャネルを通じてユーザ機器(UE)によって送信された第1のプリコーディング行列に対応するインデックス項目を、基地局(BS)によって受信するステップであって、前記第1のプリコーディング行列が前記UEによって第2のコードブックセットから選択され、前記第2のコードブックセットが、PMIを搬送する前記伝送チャネルの能力に従って、前記UEにローカルに格納された第1のコードブックセットの全部または一部としてセットアップされるステップと、
前記インデックス項目に従ってローカルに格納された第3のコードブックセットの中の前記第1のプリコーディング行列を、前記BSによって検索し、前記第1のプリコーディング行列に従ってデータにプリコーディングを行うステップであって、前記第3のコードブックセットが前記第2のコードブックセットと同一であるステップと
を含み、
前記第1のコードブックセットの中の各プリコーディング行列が、W=W1W2として表され、
ここで、
【数２】
0005601602.tif 000011
W1は、Nt×2R行列、
W2は、2R×R行列
Iは、R×R恒等行列
Xは、R×R対角行列
Dは、Nt/2×Nt/2対角行列
Aは、Nt/2×R行列
Λは、R×R対角行列、
ここで、Ntは偶数であって、前記BSの送信アンテナ数を表し、Rは前記プリコーディング行列の階数を表す、プリコーディングのための方法。
【請求項６】
前記第2のコードブックセットが前記第1のコードブックセットの一部であるとき、前記第2のコードブックセットが、信号空間を均一に分割する基準を満たす、請求項5に記載の方法。
【請求項７】
前記階数が1であるとき、前記第2のコードブックセットが前記第1のコードブックセットの一部であり、DおよびXが恒等行列であり、Λは1または-1の値の範囲を有する1ビットで表される、請求項5または6に記載の方法。
【請求項８】
前記階数が1であるとき、前記第2のコードブックセットが前記第1のコードブックセットの一部であり、DおよびXが恒等行列であり、8つの一定の方向が3ビットを有するAによって表される、請求項5または6に記載の方法。
【請求項９】
ユーザ機器(UE)であって、
PMIを搬送する伝送チャネルの能力に従って、前記UEにローカルに格納された第1のコードブックセットの全部または一部としてセットアップされる第2のコードブックセットから第1のプリコーディング行列を選択するように構成された、選択ユニットと、
前記伝送チャネルを通じて基地局(BS)へ前記第1のプリコーディング行列に対応するインデックス項目を送信して、これにより前記BSが前記インデックス項目に従って前記第1のプリコーディング行列を検索し、前記第1のプリコーディング行列に従ってデータにプリコーディングを行うことができるように構成された、送信ユニットと
を含み、
前記第1のコードブックセットの中の各プリコーディング行列が、W=W1W2として表され、
ここで、
【数３】
0005601602.tif 000012
W1は、Nt×2R行列、
W2は、2R×R行列
Iは、R×R恒等行列
Xは、R×R対角行列
Dは、Nt/2×Nt/2対角行列
Aは、Nt/2×R行列
Λは、R×R対角行列、
ここで、Ntは偶数であって、前記BSの送信アンテナ数を表し、Rは前記プリコーディング行列の階数を表す、ユーザ機器(UE)。
【請求項１０】
前記第2のコードブックセットが前記第1のコードブックセットの一部であるとき、前記第2のコードブックセットが、信号空間を均一に分割する基準を満たす、請求項9に記載のUE。
【請求項１１】
前記階数が1であるとき、前記第2のコードブックセットが前記第1のコードブックセットの一部であり、DおよびXが恒等行列であり、Λは1または-1の値の範囲を有する1ビットで表される、請求項9または10に記載のUE。
【請求項１２】
前記階数が1であるとき、前記第2のコードブックセットが前記第1のコードブックセットの一部であり、DおよびXが恒等行列であり、8つの一定の方向が3ビットを有するAによって表される、請求項9または10に記載のUE。
【請求項１３】
伝送チャネルを通じてユーザ機器(UE)によって送信された第1のプリコーディング行列に対応するインデックス項目を受信するように構成された、受信ユニットであって、前記第1のプリコーディング行列が前記UEによって第2のコードブックセットから選択され、前記第2のコードブックセットが、PMIを搬送する前記伝送チャネルの能力に従って、前記UEにローカルに格納された第1のコードブックセットの全部または一部としてセットアップされる受信ユニットと、
前記受信ユニットによって受信された前記インデックス項目に従って前記BSによりローカルに格納された第3のコードブックセットの中の前記第1のプリコーディング行列を検索し、前記第1のプリコーディング行列に従ってデータにプリコーディングを行うように構成され、前記第3のコードブックセットが前記第2のコードブックセットと同一であるプリコーディングユニットと
を含み、
前記第1のコードブックセットの中の各プリコーディング行列が、W=W1W2として表され、
ここで、
【数４】
0005601602.tif 000013
W1は、Nt×2R行列、
W2は、2R×R行列
Iは、R×R恒等行列
Xは、R×R対角行列
Dは、Nt/2×Nt/2対角行列
Aは、Nt/2×R行列
Λは、R×R対角行列、
ここで、Ntは偶数であって、前記BSの送信アンテナ数を表し、Rは前記プリコーディング行列の階数を表す、基地局(BS)。
【請求項１４】
前記第2のコードブックセットが前記第1のコードブックセットの一部であるとき、前記第2のコードブックセットが、信号空間を均一に分割する基準を満たす、請求項13に記載のBS。
【請求項１５】
前記階数が1であるとき、前記第2のコードブックセットが前記第1のコードブックセットの一部であり、DおよびXが恒等行列であり、Λは1または-1の値の範囲を有する1ビットで表される、請求項13または14に記載のBS。
【請求項１６】
前記階数が1であるとき、前記第2のコードブックセットが前記第1のコードブックセットの一部であり、DおよびXが恒等行列であり、8つの一定の方向が3ビットを有するAによって表される、請求項13または14に記載のBS。
【発明の詳細な説明】
【技術分野】
【０００２】
本発明は、通信技術の分野に関し、より詳細にはPMI(Precoding matrix Index、プリコーディング行列インデックス)の伝送およびプリコーディングのための方法および装置に関する。
【背景技術】
【０００３】
3GPP(3rd Generation Partnership Project、第3世代パートナーシッププロジェクト)のLTE(Long Term Evolution、ロングタームエボリューション) R10では、BS(Base Station、基地局)に8つのアンテナが導入される。アンテナの配置には、図1に示すULAアンテナ構成と、図2に示すバイポーラアンテナ構成の２つがある。3GPPの現在の8アンテナのコードブックに関する説明については、次のような取り決めがある。現在のプリコーディングは、2つのセクションからなる:
W=W1W2 (1)
ここで、W1は、コードブックセットC1に属し、W2は別のコードブックセットC2に属する。W1は、主として広帯域/長期チャネル特性を表し、W2は、サブバンド/短期チャネル特性を表す。
【０００４】
3GPPのLTE R8では、最大4ビットを含むPMI(Precoding Matrix Index、プリコーディング行列インデックス)情報は、PUCCH(Physical Uplink control Channel、物理上りインク制御チャネル)またはPUSCH(Physical Uplink Shared Channel、物理上りリンク共用チャネル)を介して伝えることができる。
【発明の概要】
【発明が解決しようとする課題】
【０００５】
従来の技術では、伝送チャネルの状態に従ったPMIの柔軟な構成または使用を実現することができない。
【課題を解決するための手段】
【０００６】
本発明の一態様において、PMIの柔軟な構成および使用を実現することができるPMIを伝送するための方法を提供し、この方法は、ユーザ機器(UE)によって第2のコードブックセットから第1のプリコーディング行列を選択するステップであって、第2のコードブックセットが、PMIを搬送する伝送チャネルの能力に従ってセットアップされるステップと、第1のプリコーディング行列に対応するインデックス項目を、UEによって伝送チャネルを通じて基地局(BS)に送信するステップであって、BSがインデックス項目に従って第1のプリコーディング行列を検索し、第1のプリコーディング行列に従ってデータにプリコーディングを行うことができるようにするステップとを含む。
【０００７】
本発明の別の態様において、PMIの柔軟な構成および使用を実現することができるプリコーディングのための方法を提供し、この方法は、伝送チャネルを通じてユーザ機器(UE)によって送信された第1のプリコーディング行列に対応するインデックス項目を基地局(BS)によって受信するステップであって、第1のプリコーディング行列がUEによって第2のコードブックセットから選択され、第2のコードブックセットがPMIを搬送する伝送チャネルの能力に従ってセットアップされるステップと、インデックス項目に従ってローカルに格納された第3のコードブックセットの中の第1のプリコーディング行列をBSによって検索し、第1のプリコーディング行列に従ってデータにプリコーディングを行うステップであって、第3のコードブックセットが第2のコードブックセットと同一であるステップとを含む。
【０００８】
本発明のさらに別の態様において、PMIの柔軟な構成および使用を実現することができるUEを提供し、このUEは、第2のコードブックセットから第1のプリコーディング行列を選択するように構成された選択ユニットであって、第2のコードブックセットがPMIを搬送する伝送チャネルの能力に従ってセットアップされる選択ユニットと、送信チャネルを通じて第1のプリコーディング行列に対応するインデックス項目を基地局(BS)に送信して、BSがインデックス項目に従って第1のプリコーディング行列を検索し、第1のプリコーディング行列に従ってデータにプリコーディングを行うことができるように構成された送信ユニットとを含む。
【０００９】
本発明の別の態様により、BSをさらに提供し、このBSは、伝送チャネルを通じてユーザ機器(UE)によって送信される第1のプリコーディング行列に対応するインデックス項目を受信するように構成された受信ユニットであって、第1のプリコーディング行列がUEによって第2のコードブックセットから選択され、第2のコードブックセットがPMIを搬送する伝送チャネルの能力に従ってセットアップされる受信ユニットと、受信ユニットによって受信されたインデックス項目に従ってBSによってローカルに格納された第3のコードブックセットの中の第1のプリコーディング行列を検索し、第1のプリコーディング行列に従ってデータにプリコーディングを行うように構成されたプリコーディングユニットであって、第3のコードブックセットが第2のコードブックセットと同一であるプリコーディングユニットとを含む。
【００１０】
本発明の上記の態様に照らして、PMIを搬送する伝送チャネルの能力に従って、異なる精度を有するプリコーディング行列を選択し、BSからUEに送信されるデータにプリコーディングを行って、PMIの柔軟な構成および使用を実現することができる。
【図面の簡単な説明】
【００１１】
【図１】従来の技術のULAアンテナの概略構造図である。
【図２】従来の技術のバイポーラアンテナの概略構造図である。
【図３】本発明の一実施形態によりPMIを伝送するための方法のフローチャートである。
【図４】本発明の一実施形態によるプリコーディング方法のフローチャートである。
【図５】本発明の一実施形態によるUEの概略構造図である。
【図６】本発明の一実施形態によるBSの概略構造図である。
【発明を実施するための形態】
【００１２】
本発明の諸実施形態の添付の図面と関連して、本発明の諸実施形態の技術的解決法に明確で完全な説明を行う。明らかであるが、本明細書に記載する実施形態は、本発明の一部の実施形態であるにすぎず、その全部ではない。本発明のこうした実施形態に基づき、いかなる創造的努力もせず当業者は他の実施形態を思い付く可能性があり、そのすべてが本発明の範囲内に入る。
【００１３】
図3は、次のステップを含む、本発明の一実施形態によりPMIを伝送するための方法のフローチャートである。
【００１４】
ステップ301。UEがPMIを搬送する伝送チャネルの能力を取得する。
【００１５】
この実施形態では、伝送チャネルは、PMIを搬送する、または運ぶチャネルのことを指し、例えば、PUCCHチャネル、PUSCHチャネルなどを含む。PMIを搬送する伝送チャネルの能力を取得する方法は、BSから送信された伝送チャネルのPMI搬送能力を通知するためのシグナリングを受信すること、またはPMIを搬送する伝送チャネルの能力のローカルに格納されたリストから取得することを含むことができる。PMIを搬送する伝送チャネルの能力は、伝送チャネルでPMIを搬送するための最大ビット数を指し、例えばPUCCHチャネルではPMIを搬送するための最大4ビット、PUSCHチャネルではPMIを搬送するための最大6ビットを指す。このような能力は、データ伝送要件に従ってあらかじめ構成することができる。
【００１６】
必要に応じてステップ302において、PMIを搬送するための伝送チャネルの能力により、UEは、ローカルに格納された第1のコードブックセットからプリコーディング行列を選択して第2のコードブックセットを形成することができる。
【００１７】
詳細には、実際の伝送チャネルの状態に従って、第1のコードブックセットの全部または一部を、第2のコードブックセットとして選択することができる。第1のコードブックセットは、UEのデータ伝送でプリコーディングに使用され、BSまたはUEによって別個にローカルに格納されるすべてのコードブックのセットであることが可能である。
【００１８】
第1のコードブックセットのプリコーディング行列は、次のような形式であることが可能である。
【００１９】
【数１】
0005601602.tif 000002
【００２０】
式(2)では、送信アンテナの数はNt(Ntは偶数)、行列の階数はR、W1はNt×2R行列、W2は2R×R行列であると仮定する。IはR×R恒等行列、XはR×R対角行列、DはNt/2×Nt/2対角行列、AはNt/2×R行列、ΛはR×R対角行列である。ここで、
【００２１】
【数２】
0005601602.tif 000003
【００２２】
図2に示すバイポーラアンテナについては、ΛおよびXを使用して2組の偏波アンテナ間の位相関係を調整する。αi、βi(i=1,…R)は、1の係数を有するスカラである。
【００２３】
8つの送信アンテナおよび1の階数を有するプリコーディング行列を例にとると、図2に示す配置では、Dは4*4対角行列であり、これをbビットで表すことができ、T=2bの可能な値がある。
【００２４】
【数３】
0005601602.tif 000004
【００２５】
次の式により、既存のDFT(Discrete Fourier Transform、離散フーリエ変換)に基づくコードブック構造からAを取得することができる。
【００２６】
【数４】
0005601602.tif 000005
【００２７】
ここで、MはDFTの次元の数であり、m=0,1,…M-1、n=0,1,…M-1である。4つのアンテナに対応するDFTについては、M=4である。Gは、DFTの群の数であり、g=0,1,…,G-1である。
【００２８】
【数５】
0005601602.tif 000006
【００２９】
は、コードブックセットの中のプリコーディングベクトルであり、
【００３０】
【数６】
0005601602.tif 000007
【００３１】
は
【００３２】
【数７】
0005601602.tif 000008
【００３３】
の中の様々な要素を表す。例えば、G=2の場合、各4次元DFT構造から4つの4×1プリコーディングベクトルを取得することができ、2つのDFT構造が8つの4×1プリコーディング行列を生成することができる。したがって、Aが3ビットで表される場合、Aの値は8つの4×1プリコーディングベクトルから取得することができ、Λは単位円上に点の値を有する1×1行列であり、例えばbビットで表される。したがって、合計T=2bの可能な値があり、その値は、ej2πk/T(k=0,…,T-1)とすることができる。例えば、1ビットの表現を用いると、これは値(1,-1)を有する。ΛおよびXは、共に単位円上に点の値を有する1×1行列であり、例えばbビットで表される。したがって、合計T=2bの可能な値があり、その値は、ej2πk/T(k=0,…,T-1)とすることができる。
【００３４】
第1のコードブックセットは7ビットで表されると想定する。D、Aの関数は、ビーム伝送の方向を調整することであるので、これらは全体的に5ビットで表される。Dが1ビットで表されると仮定すると、式(4)では、gは常に1または-1に設定される。
【００３５】
【数８】
0005601602.tif 000009
【００３６】
Aは4ビットで表される。Λ、Xは共に、異なる偏波を有する2組のアンテナ間の位相調整を表すので、これらは合計2ビットで表すことができる。
【００３７】
D、A、Λ、Xのビット数を調整することにより、PMIの合計ビット数は、伝送チャネルの搬送能力と一致することができる。本明細書で述べる「一致する」は、D、A、Λ、Xを表すビットの合計数が、伝送チャネルが送信できるビットの数と同じであることを意味する。例えば、PUCCHチャネルでは、最大4ビットでPMIを伝送できる場合、D、A、Λ、Xの合計ビット数は4である。UEが、定数D=I(恒等行列)、X=Iを有することを求めることができる。Aに3ビット、Λに1ビットが設定される場合、PMIは合計4ビットを有する。PMIがPUSCHによって送信される場合、PMIは6ビットを有することができ、D、A、Λ、Xのビットの合計数は6である。この文脈では、Dは1ビットで表すことができ、ΛはIに設定することができる。Aは3ビットで表すことができ、Xは2ビットで表すことができ、したがって合計6ビットとなる。7ビットのPMIがPUSCH上で伝送される場合、Aは4ビットで、Dは1ビットで、Xは2ビットで表すことができる。第1のコードブックセットから第2のコードブックセットが選択される。第2のコードブックセットが第1のコードブックセットの一部であるとき、第2のコードブックセットの選択基準は、信号空間をできる限り均一に分割することに焦点を合わせる。例えば、第1のコードブックセットが合計7ビットを含み、第2のコードブックセットだけを4ビットで表すことができる場合、D=I、8方向を示す3ビットでAを表すことができることがわかる(第1のコードブックセットは32方向を示すことができる)。式(5)では、g=0、g=2、G=4とし、8つのほぼ一定の方向を取得することができる。同時にX=Iとし(または、Λ=I、Xは1ビットで表される)、Λは、1または-1の値域を有して1ビットで表される(2ビットの場合、1、-1、j、-jの値域)。
【００３８】
必要に応じてこのステップにおいてUEは、本発明の次の方法の実施形態で詳述するように、搬送能力に従って上記の第2のコードブックセットとして、PMIを搬送する伝送チャネルの能力に好適なコードブックセットを直接選択することができる。
【００３９】
ステップ303。UEは、第2のコードブックセットに従ってBSプリコーディングの第1のプリコーディング行列を選択する。
【００４０】
UEが第2のコードブックセットからプリコーディングを選択するとき、いくつかの指定された基準に従って選択を行うことができる。特定の選択基準については従来の技術を参照することができる。例えば、データの最大SNRをもたらすプリコーディング行列を、第1のプリコーディング行列として選択することができる。
【００４１】
ステップ304。伝送チャネルを通じて第1のプリコーディング行列に対応するインデックスをBSに送信する。
【００４２】
選択されたプリコーディング行列のインデックスは、伝送チャネルを通じて送信される必要があるので、第2のコードブックセットの中の異なるプリコーディング行列が、それぞれ異なるインデックスに対応して、こうした異なるプリコーディング行列を特徴的に表すようにすることができる。第1のプリコーディング行列に対応するインデックスは、第2のコードブックセットの中のプリコーディング行列にインデックスが確立された後に、確立されたインデックスの中の第1のプリコーディング行列に対応するインデックス項目を参照する。例えば、伝送チャネルにPUCCHが使用されるとき、第1のコードブックセットが32のコードブック行列を含む場合、また、PUCCHがPMIの伝送に4ビットしか使用できない場合、第1のコードブックセットから16のコードブック行列を選択して、第2のコードブックセットを形成し、上記の16のコードブック行列のインデックスとして0〜15(4ビットで表される)を使用することができる。上記の第1のプリコーディング行列としてインデックス項目0を有するコードブック行列を選択する場合、第1のプリコーディング行列に対応するインデックス項目は、0000と表すことができ、または、上記の第1のプリコーディング行列として数2のコードブック行列を選択する場合、第1のプリコーディング行列に対応するインデックス項目は、0010と表すことができる。
【００４３】
この実施形態では、UEが伝送チャネルの能力を取得した後、チャネルの能力に従ってコードブックセットを構成することができ、またPMIをBSにフィードバックすることができ、したがってBSは、UEの伝送チャネルの搬送能力に応じて異なる精度のPMIを取得することができる。
【００４４】
本発明の別の実施形態では、上記の方法はさらに以下を含むことができる:
【００４５】
PMIを前もって搬送する伝送チャネルの様々な能力に従ってコードブックの様々なセットを提供すると、上記の実施形態のステップ302における選択アクションを省略することができる。すなわち、最初の状態で、例えば上記の第1のコードブックセットおよび第2のコードブックセットなど、UEによって選択されるいくつかの異なるコードブックセットが提供される。この方法は、第1のコードブックセットから第2のコードブックセットを選択する代わりに、PMIを搬送する伝送チャネルの能力に従って第1のコードブックセットまたは第2のコードブックセットを直接選択することができるという点で、上記の実施形態の方法とは異なる。
【００４６】
図4は、本発明の一実施形態によるプリコーディング方法のフローチャートであり、次のステップを含む。
【００４７】
ステップ401。BSが、伝送チャネルを通じてUEによって送信された第1のプリコーディング行列に対応するインデックスを受信する。
【００４８】
この実施形態では、第1のプリコーディング行列は、第2のコードブックセットから選択され、第2のコードブックセットは、UEにローカルに格納された第1のコードブックセットから選択されたプリコーディング行列から形成される。第2のコードブックセットを取得する特定の方法については、図3に示す実施形態の対応する説明を参照することができる。
【００４９】
ステップ402。BSは、第1のプリコーディング行列に対応するインデックスにより第1のプリコーディング行列を見つけ出す。
【００５０】
この実施形態では、第1のプリコーディング行列は、インデックスに従ってローカルに格納された第3のコードブックセットから見つけることができ、次いで第1のプリコーディング行列に従ってデータにプリコーディングを行うことができ、ここで第3のコードブックセットは、第2のコードブックセットと同一である。本明細書で使用する「同一」という用語は、第3のコードブックセットが第2のコードブックセットと同じプリコーディング行列の項目を含んでいることを意味し、第3のコードブックセットに含まれるプリコーディング行列は、第2のコードブックセットに含まれるものと同じであり、同じインデックス項目は、第3のコードブックセットおよび第2のコードブックセットの中の同じプリコーディング行列を表す。
【００５１】
この実施形態では、第3のコードブックセットは、PMIを搬送する伝送チャネルの能力または伝送チャネルのタイプに従ってBSによってあらかじめ決められることが可能である。第3のコードブックセットの中の様々なプリコーディング行列に対応するインデックスを確立する方法は、図3に示す実施形態の方法と実質的に同じであり、ここでは繰り返して説明しない。
【００５２】
ステップ403。BSは、ステップ403において取得したプリコーディング行列を使用してプリコーディングを行う。
【００５３】
この実施形態では、BSは、UEからフィードバックされたPMIを使用してUEに送信されるデータにプリコーディングを行う。UE伝送チャネルの様々な搬送能力に従って、異なる精度を有するプリコーディング行列を取得することができ、したがって柔軟なPMI構成を保証することができ、伝送チャネルのリソースを合理的に使用できるようになる。
【００５４】
上記の実施形態の一部または全部のステップは、プログラムおよび命令関連ハードウェアを用いて認識することができること、プログラムをROM/RAM、磁気ディスク、光ディスクなどのコンピュータ可読記憶媒体に格納することができることを、当業者は理解することができる。
【００５５】
図5は、上記の実施形態で提供される方法を実現することができる、本発明の一実施形態によるUEの概略構造図であり、このUEは、
PMIを搬送する伝送チャネルの能力を取得するように構成された、取得ユニット501と、
ローカルに格納された第1のコードブックセットからプリコーディング行列を選択して、取得ユニット501によって取得されたPMIを搬送する伝送チャネルの能力に従って第2のコードブックセットを形成し、次いで第2のコードブックセットからデータのプリコーディングを行うために第1のプリコーディング行列を選択するように構成された、選択ユニット502と、
送信のための伝送チャネルを通じて選択ユニット502によって選択された第1のプリコーディング行列に対応するインデックスを搬送するように構成された、送信ユニット503と
を含む。
【００５６】
上記のUEおよびBSの様々なモジュール間の対話、およびこうした様々なモジュールの機能の特定の実行については、上記の図3および4の対応する方法の説明を参照することができる。
【００５７】
この実施形態では、UEが伝送チャネルの能力を取得した後、チャネルの能力に従ってそこに使用するコードブックセットを構成することができ、またPMIをBSにフィードバックすることができ、したがってBSは、UEの伝送チャネルの搬送能力に応じて異なる精度を有するPMIを取得することができる。
【００５８】
図6は、本発明の一実施形態で提供される方法を実現することができる、本発明の一実施形態によるBSの概略構造図であり、このBSは、
伝送チャネルを通じてUEによって送信された第1のプリコーディング行列に対応するインデックスを受信するように構成され、第1のプリコーディング行列がUEによって第2のコードブックセットから選択され、第2のコードブックセットが、UEにローカルに格納された第1のコードブックセットから選択されたプリコーディング行列から形成される、受信ユニット601と、
受信ユニット601によって受信されたインデックスに従ってローカルに格納された第3のコードブックセットの中の第1のプリコーディング行列を検索し、第1のプリコーディング行列に従ってデータにプリコーディングを行うように構成され、第3のコードブックセットが第2のコードブックセットと同一である、プリコーディングユニット602と
を含む。
【００５９】
本発明の別の実施形態では、BSはさらに以下を含む:
PMIを搬送する伝送チャネルの能力をUEに知らせるためのシグナリングをUEに送信して、UEが第1のコードブックセットからプリコーディング行列を選択して第2のコードブックセットを形成することができるように構成された、送信ユニット603。UEおよびBSは、前もってPMIを搬送する伝送チャネルの能力をあらかじめ決定することもできる。
【００６０】
上記のUEおよびBSの様々なモジュール間の対話、ならびにこうした様々なモジュールの機能の特定の実行については、上記の図3および4の対応する方法の説明を参照することができる。
【００６１】
この実施形態では、BSは、必要に応じてUEの様々な伝送チャネルのPMIフィードバック能力をセットアップし、これにより様々な制度を有するPMIを取得することができる。
【００６２】
上記のユニットの全部または一部をチップに組み込むことができることに注意されたい。本発明の各実施形態による様々な機能ユニットは、1つの処理モジュールに統合することができる、または別個の物理ユニットとして存在することができる、あるいは2つ以上のユニットが、1つのユニットに統合されることも可能である。統合モジュールは、ハードウェアにより実装することができる、またはソフトウェア機能モジュールの形態で実装することもできる。統合モジュールをソフトウェア機能モジュールの形態で実装し、個々の製品として販売するまたは使用するとき、統合モジュールをコンピュータ可読記憶媒体に格納することができる。上述の記憶媒体は、ROM、磁気ディスク、または光ディスクとすることができる。
【００６３】
添付の図面および関連する説明は、本発明の原理の例示のためであるにすぎず、本発明の範囲を限定するものではない。例えば、様々な実施形態のメッセージ名およびエンティティはネットワークによって異なる可能性があり、一部のメッセージが省略される可能性がある。本発明の趣旨および原理で作成されるいかなる変更形態、代替形態、および改良形態も、本発明の範囲に含まれる。
【００６４】
本発明のいくつかの好ましい実施形態により本発明を例示し、説明したが、本発明の範囲を逸脱することなく、形式上詳細に、様々な変形形態を作成できることを当業者は理解するであろう。
【符号の説明】
【００６５】
501  取得ユニット
502  選択ユニット
503  送信ユニット
603  受信ユニット
601  プリコーディングユニット
602  送信ユニット
【図１】
0005601602.tif 000014
【図２】
0005601602.tif 000015
【図３】
0005601602.tif 000016
【図４】
0005601602.tif 000017
【図５】
0005601602.tif 000018
【図６】
0005601602.tif 000019